(57)【要約】【課題】データファイルの送受信、共有の利便性を向上させる。【解決手段】携帯可能な外部記憶装置は、データファイルを格納する記憶部と、無線通信部と、予め定められた時間内に、前記他の機器に第１の通信信号を送信し、且つ、前記他の機器から前記第１の通信信号に応じた第２の通信信号を受信した場合に、前記記憶部に格納されているデータファイルのうちの予め定められたデータファイルを前記他の機器との間で送受信するためのコネクションを確立するコネクション確立部と、前記コネクションが確立したときに前記予め定められたデータファイルを前記他の機器との間で送受信するデータファイル送受信部と、を備える。【選択図】図１
2015050721.tif 000002
【特許請求の範囲】
【請求項１】
携帯可能な外部記憶装置であって、
データファイルを格納する記憶部と、
無線通信部と、
予め定められた時間内に、他の機器に第１の通信信号を送信し、且つ、前記他の機器から前記第１の通信信号に応じた第２の通信信号を受信した場合に、前記記憶部に格納されているデータファイルのうちの予め定められたデータファイルを前記他の機器との間で送受信するためのコネクションを確立するコネクション確立部と、
前記コネクションが確立したときに前記予め定められたデータファイルを前記他の機器との間で送受信するデータファイル送受信部と、
を備える、外部記憶装置。
【請求項２】
請求項１に記載の外部記憶装置において、
前記第１の通信信号の送信を指示するためのボタンを備える、外部記憶装置。
【請求項３】
請求項２に記載の外部記憶装置において、
前記ボタンとして、前記予め定められたデータファイルを送信するときに用いられる送信ボタンと、前記予め定められたデータファイルを受信するときに用いられる受信ボタンと、を別個に備える、外部記憶装置。
【請求項４】
請求項２に記載の外部記憶装置において、
データファイル送受信部は、前記ボタンの押され方に基づいて、前記予め定められたデータファイルの送信と、前記予め定められたデータファイルの受信と、前記予め定められたデータファイルの送受信、のうち少なくとも２つを切り換える、外部記憶装置。
【請求項５】
請求項２〜４のいずれか一項に記載の外部記憶装置において、
前記ボタンは、アクセスポイントとの間で無線ＬＡＮを構成するための設定情報の自動設定処理の実行を指示するためのボタンを兼ねており、
前記コネクション確立部は、前記他の機器からの第２の通信信号、または、前記アクセスポイントからのビーコンのいずれが早いかにより、前記他の機器または前記アクセスポイントのいずれと通信を行うかを決定する、外部記憶装置。
【請求項６】
請求項１〜５のいずれか一項に記載の外部記憶装置において、
前記外部記憶装置は、前記無線通信部により携帯通信端末装置と接続されており、
前記携帯通信端末装置からの通信信号を受信した場合に、前記第１の通信信号を送信する、外部記憶装置。
【請求項７】
請求項１〜６のいずれか一項に記載の外部記憶装置において、
前記記憶部は、データファイルを格納するフォルダを複数備え、
前記予め定められたデータファイルは、複数のフォルダのうち予め定められたフォルダに格納されている、外部記憶装置。
【請求項８】
請求項７に記載の外部記憶装置において、
前記記憶部は、前記他の機器に送信されるデータファイルを格納するためのフォルダと、前記他の機器から受信されるデータファイルを格納するためのフォルダとを独立して備える、外部記憶装置。
【請求項９】
請求項７又は８に記載の外部記憶装置において、
前記第２の通信信号は、前記他の機器を特定するための識別情報を有しており、
前記記憶部は、前記予め定められたフォルダを、前記識別情報に対応して備える、外部記憶装置。
【請求項１０】
請求項１〜９のいずれか一項に記載の外部記憶装置を２つ備えるデータファイル送受信システム。
【請求項１１】
データファイルの記憶部を有し携帯可能な外部記憶装置における他の機器とのデータファイル送受信方法であって、
前記他の機器に第１の通信信号を送信する工程と、
前記他の機器から前記第１の通信信号に応じて送信された第２の通信信号を受信する工程と、
予め定められた時間内に、前記第１の通信信号の送信と、前記第２の通信信号の受信と、が行われた場合に前記他の機器との間でコネクションを確立する工程と、
前記コネクションの確立後、前記記憶部に格納されているデータファイルのうちの予め定められたデータファイルを前記他の機器との間で送受信する工程と、
を備える、データファイル送受信方法。
【請求項１２】
データファイルの記憶部を有し携帯可能な外部記憶装置における他の機器とのデータファイル送受信を行うためのプログラムであって、
前記他の機器に第１の通信信号を送信する機能と、
前記他の機器から前記第１の通信信号に応じて送信された第２の通信信号を受信する機能と、
予め定められた時間内に、前記第１の通信信号の送信と、前記第２の通信信号の受信と、が行われた場合に前記他の機器との間でコネクションを確立する機能と、
前記コネクションの確立後、前記記憶部に格納されているデータファイルのうちの予め定められたデータファイルを前記他の機器との間で送受信する機能と、
を実現するコンピュータプログラム。
【請求項１３】
携帯可能な外部記憶装置と前記外部記憶装置と無線通信によりデータファイルを送受信する他の機器とを有するデータファイル送受信システムであって、
前記外部記憶装置と、
前記他の機器と、
前記外部記憶装置と無線で接続される第１の携帯通信端末装置と、
前記他の機器と無線で接続される第２の携帯通信端末装置とを備え、
前記外部記憶装置は、
データファイルを格納する第１の記憶部と、
無線通信部と、
予め定められた時間内に、前記他の機器に第１の通信信号を送信し、且つ、前記他の機器から第２の通信信号を受信した場合に、前記記憶部に格納されているデータファイルのうちの予め定められた第１のデータファイルを前記他の機器との間で送受信するためのコネクションを確立する第１のコネクション確立部と、
前記コネクションが確立したときに前記予め定められた第１のデータファイルを前記他の機器との間で送受信する第１のデータファイル送受信部と、
を備え、
前記他の機器は、
データファイルを格納する第２の記憶部と、
無線通信部と、
前記予め定められた時間内に、前記外部記憶装置に第２の通信信号を送信し、且つ、前記外部記憶装置から第１の通信信号を受信した場合に、前記外部記憶装置の記憶部に格納されているデータファイルのうちの予め定められた第２のデータファイルを前記外部記憶装置と送受信するためのコネクションを確立する第２のコネクション確立部と、
前記コネクションが確立したときに前記予め定められた第２のデータファイルを前記外部記憶装置の間で送受信する第２のデータファイル送受信部と、
を備え、
前記第１のコネクション確立部は、前記第１の携帯通信端末装置からの指示を受けて前記第１の通信信号を送信し、
前記第２のコネクション確立部は、
前記第１の通信信号を受けた場合には、その旨を前記第２の携帯通信端末装置に送り、
予め定められた時間内に前記第２の携帯通信端末装置から許可信号を受信した場合には、前記他の機器に対して前記第２の通信信号を送り、
前記第１のコネクション確立部と前記第２のコネクション確立部は、前記外部記憶装置と、前記他の機器との間のコネクションを確立し、前記第１のデータファイルと前記第２のデータファイルの送受信が行われる、データファイル送受信システム。
【発明の詳細な説明】
【技術分野】
【０００１】
本発明は、外部記憶装置、データファイル送受信システム、データファイル送受信方法・プログラムに関する。
【背景技術】
【０００２】
外部記憶装置を用いたデータ送信システムとして、特許文献１に開示されたシステムが知られている。このシステムは、外部記憶装置と撮像装置（デジタルカメラ）を有している。撮像装置は、レリーズボタンに指紋センサーを有しており、レリーズボタンが押されたときに、撮影画像に指紋画像データを関連づけて撮像装置内の不揮発メモリに格納する。外部記憶装置は、指紋センサーを有する画像取得スイッチを備えており、画像取得スイッチが押されたときに、外部記憶装置が指紋画像データを撮像装置に送り、撮像装置は、指紋画像データを用いて認証し、指紋センサーからの指紋画像データと関連づけられた撮影画像を外部記憶装置に送信する。
【先行技術文献】
【特許文献】
【０００３】
【特許文献１】特開２０１１−１０９２９１号公報
【発明の概要】
【発明が解決しようとする課題】
【０００４】
特許文献１の技術では、外部記憶装置と撮像装置の両方に指紋センサーを設ける必要がある、という問題があった。本願発明では、撮像装置と外部記憶装置との間だけでなく、外部記憶装置同士において、データファイルの送受信、共有の利便性を向上させることを目的とする。
【課題を解決するための手段】
【０００５】
上記した課題の少なくとも一部を達成するために、本発明は、以下の形態として実施することができる。
【０００６】
（１）本発明の一形態によれば、携帯可能な外部記憶装置が提供される。この外部記憶装置は、データファイルを格納する記憶部と、無線通信部と、予め定められた時間内に、他の機器に第１の通信信号を送信し、且つ、前記他の機器から前記第１の通信信号に応じた第２の通信信号を受信した場合に、前記記憶部に格納されているデータファイルのうちの予め定められたデータファイルを前記他の機器との間で送受信するためのコネクションを確立するコネクション確立部と、前記コネクションが確立したときに前記予め定められたデータファイルを前記他の機器との間で送受信するデータファイル送受信部と、を備える。この形態の外部記憶装置によれば、他の機器に第１の通信信号を送信し、且つ、他の機器から第１の通信信号に応じた第２の通信信号を受信した場合に、予め定められたデータファイルを他の機器との間で送受信するので、データファイルの送受信、共有の利便性を向上させることが可能となる。
【０００７】
（２）上記形態の外部記憶装置において、前記第１の通信信号の送信を指示するためのボタンを備えてもよい。この形態の外部記憶装置によれば、ボタンを用いて第１の通信信号の送信を指示して、他の機器との間でデータファイルを送受信できる。
【０００８】
（３）上記形態の外部記憶装置において、前記ボタンとして、前記予め定められたデータファイルを送信するときに用いられる送信ボタンと、前記予め定められたデータファイルを受信するときに用いられる受信ボタンと、を別個に備えてもよい。この形態の外部記憶装置によれば、データファイルの送信と、受信とを容易に切り換えることができる。
【０００９】
（４）上記形態の外部記憶装置において、データファイル送受信部は、前記ボタンの押され方に基づいて、前記予め定められたデータファイルの送信と、前記予め定められたデータファイルの受信と、前記予め定められたデータファイルの送受信、のうち少なくとも２つを切り換えてもよい。この形態の外部記憶装置によれば、１つのボタンでデータファイルの送信、受信、送受信を切り換えることが出来る。
【００１０】
（５）上記形態の外部記憶装置において、前記ボタンは、アクセスポイントとの間で無線ＬＡＮを構成するための設定情報の自動設定処理の実行を指示するためのボタンを兼ねており、前記コネクション確立部は、前記他の機器からの第２の通信信号、または、前記アクセスポイントからのビーコンのいずれが早いかにより、前記他の機器または前記アクセスポイントのいずれと通信を行うかを決定してもよい。この形態の外部記憶装置によれば、他の機器との接続か、アクセスポイントの接続か、を容易に切り換えることが出来る。また、１つのボタンで、１つのボタンでデータファイルの送信、受信、送受信と、アクセスポイントとの間の自動設定処理と、を切り換えることが出来る。
【００１１】
（６）上記形態の外部記憶装置において、前記外部記憶装置は、前記無線通信部により携帯通信端末装置と接続されており、前記携帯通信端末装置からの通信信号を受信した場合に、前記第１の通信信号を送信してもよい。この形態の外部記憶装置によれば、データファイルの送受信の指示は、携帯通信端末装置から実行できるので、例えば、携帯通信端末装置からデータファイルの送信、受信、送受信を容易に指示できる。
【００１２】
（７）上記形態の外部記憶装置において、前記記憶部は、データファイルを格納するフォルダを複数備え、前記予め定められたデータファイルは、複数のフォルダのうち予め定められたフォルダに格納されていてもよい。この形態の外部記憶装置によれば、送受信するデータファイルを改めて指示、選択する必要がない。
【００１３】
（８）上記形態の外部記憶装置において、前記記憶部は、前記他の機器に送信されるデータファイルを格納するためのフォルダと、前記他の機器から受信されるデータファイルを格納するためのフォルダとを独立して備えてもよい。この形態の外部記憶装置によれば、前記他の機器に送信されるデータファイルを格納するためのフォルダと、前記他の機器から受信されるデータファイルを格納するためのフォルダとを独立して備えているので、送受信するデータファイルの管理が容易である。
【００１４】
（９）上記形態の外部記憶装置において、前記第２の通信信号は、前記他の機器を特定するための識別情報を有しており、前記記憶部は、前記予め定められたフォルダを、前記識別情報に対応して備えていてもよい。この形態の外部記憶装置によれば、複数の外部記憶装置とデータファイルの送受信をする場合に、相手毎に送受信するファイルを分けることが出来る。
【００１５】
（１０）本発明の一形態によれば、データファイル送受信システムが提供される。このデータファイル送受信システムは、上記形態の外部記憶装置を２つ備えてもよい。
【００１６】
（１１）本発明の一形態によれば、データファイルの記憶部を有し携帯可能な外部記憶装置における他の機器とのデータファイル送受信方法が提供される。このデータファイル送受信方法は、前記他の機器に第１の通信信号を送信する工程と、前記他の機器から前記第１の通信信号に応じて送信された第２の通信信号を受信する工程と、予め定められた時間内に、前記第１の通信信号の送信と、前記第２の通信信号の受信と、が行われた場合に前記他の機器との間でコネクションを確立する工程と、前記コネクションの確立後、前記記憶部に格納されているデータファイルのうちの予め定められたデータファイルを前記他の機器との間で送受信する工程と、を備える。この形態のデータファイル送受信方法によれば、他の機器に第１の通信信号を送信し、且つ、他の機器から第１の通信信号とは別個に送信された第２の通信信号を受信した場合に、予め定められたデータファイルを他の機器との間で送受信するので、データファイルの送受信、共有の利便性を向上させることが可能となる。
【００１７】
（１２）本発明の一形態によれば、データファイルの記憶部を有し携帯可能な外部記憶装置における他の機器とのデータファイル送受信を行うためのプログラムが提供される。このプログラムは、前記他の機器に第１の通信信号を送信する機能と、前記他の機器から前記第１の通信信号に応じて送信された第２の通信信号を受信する機能と、予め定められた時間内に、前記第１の通信信号の送信と、前記第２の通信信号の受信と、が行われた場合に前記他の機器との間でコネクションを確立する機能と、前記コネクションの確立後、前記記憶部に格納されているデータファイルのうちの予め定められたデータファイルを前記他の機器との間で送受信する機能と、を実現する。この形態のプログラムによれば、他の機器に第１の通信信号を送信し、且つ、他の機器から第１の通信信号とは別個に送信された第２の通信信号を受信した場合に、予め定められたデータファイルを他の機器との間で送受信するので、データファイルの送受信、共有の利便性を向上させることが可能となる。
【００１８】
（１３）本発明の一形態によれば、携帯可能な外部記憶装置と前記外部記憶装置と無線通信によりデータファイルを送受信する他の機器とを有するデータファイル送受信システムが提供される。このデータファイル送受信システムは、前記外部記憶装置と、前記他の機器と、前記外部記憶装置と無線で接続される第１の携帯通信端末装置と、前記他の機器と無線で接続される第２の携帯通信端末装置とを備え、前記外部記憶装置は、データファイルを格納する第１の記憶部と、無線通信部と、予め定められた時間内に、前記他の機器に第１の通信信号を送信し、且つ、前記他の機器から第２の通信信号を受信した場合に、前記記憶部に格納されているデータファイルのうちの予め定められた第１のデータファイルを前記他の機器との間で送受信するためのコネクションを確立する第１のコネクション確立部と、前記コネクションが確立したときに前記予め定められた第１のデータファイルを前記他の機器との間で送受信する第１のデータファイル送受信部と、を備え、前記他の機器は、データファイルを格納する第２の記憶部と、無線通信部と、前記予め定められた時間内に、前記外部記憶装置に第２の通信信号を送信し、且つ、前記外部記憶装置から第１の通信信号を受信した場合に、前記外部記憶装置の記憶部に格納されているデータファイルのうちの予め定められた第２のデータファイルを前記外部記憶装置と送受信するためのコネクションを確立する第２のコネクション確立部と、前記コネクションが確立したときに前記予め定められた第２のデータファイルを前記外部記憶装置の間で送受信する第２のデータファイル送受信部と、を備え、前記第１のコネクション確立部は、前記第１の携帯通信端末装置からの指示を受けて前記第１の通信信号を送信し、前記第２のコネクション確立部は、前記第１の通信信号を受けた場合には、その旨を前記第２の携帯通信端末装置に送り、予め定められた時間内に前記第２の携帯通信端末装置から許可信号を受信した場合には、前記他の機器に対して前記第２の通信信号を送り、前記第１のコネクション確立部と前記第２のコネクション確立部は、前記外部記憶装置と、前記他の機器との間のコネクションを確立し、前記第１のデータファイルと前記第２のデータファイルの送受信が行われる。この形態のデータファイル送受信システムによれば、外部記憶装置は、他の機器から許可を受けた場合にデータファイルの送受信が可能となるので、意図しないデータファイルの送受信が行われないようにすることが可能となる。
【００１９】
なお、本発明は、種々の形態で実現することが可能であり、例えば、外部記憶装置の他、データファイル送受信システム、データファイル送受信方法、データファイル共有方法、等の形態で実現することができる。
【図面の簡単な説明】
【００２０】
【図１】第１の実施形態のデータファイル送受信システムを示す説明図である。
【図２】２つの外部記憶装置間のデータファイルのやり取りを説明するシーケンス図である。
【図３】第１の実施形態の動作の変形例を示す説明図である。
【図４】第２の実施形態のデータファイル送受信システムを示す説明図である。
【図５】第２の実施形態における動作を説明するシーケンス図である。
【図６】第３の実施形態のデータファイル送受信システムにおける動作を説明するシーケンス図である。
【発明を実施するための形態】
【００２１】
第１の実施形態：
図１は、第１の実施形態のデータファイル送受信システムを示す説明図である。このファイル送受信は、２つの外部記憶装置１０ａ、１０ｂを備えている。２つの外部記憶装置１０ａ、１０ｂのうち少なくとも一方は携帯可能である。利用者は、外部記憶装置１０ａと他の外部記憶装置１０ｂに対して、それぞれに設けられているボタン１６０ａ、１６０ｂを押すことにより、２つの外部記憶装置１０ａ、１０ｂの間で、データファイルの送受信を行う。
【００２２】
外部記憶装置１０ａは、コントローラ１００ａと、記憶部１１０ａと、無線通信部１２０ａと、外部接続端子１４０ａと、ボタン検知部１５０ａと、ボタン１６０ａと、バッテリ１７０ａと、電源入力端子１８０ａと、を備える。コントローラ１００ａは、コネクション確立部１０２ａと、データファイル送受信部１０４ａとを備える。コネクション確立部１０２ａは、後述するように、ＳＳＩＤ（識別情報）とＫＥＹ（暗号鍵）とを用いて、無線通信部１２０ａによる外部記憶装置１０ｂの無線通信部１２０ｂとの間のコネクションを確立する。データファイル送受信部１０４ａは、記憶部１１０ａと、外部記憶装置１０ｂの記憶部１１０ｂとの間のデータファイルの送受信を行う。
【００２３】
記憶部１１０ａは、データファイルを格納し、例えば、磁気ディスク装置（ＨＤＤ）あるいは、半導体素子メモリを用いた記憶装置（ＳＳＤ）のような不揮発性記憶装置によって構成されていてもよい。記憶部１１０ａには、第１のフォルダ１１２ａと第２のフォルダ１１４ａが形成されている。第１のフォルダ１１２ａは、外部記憶装置１０ｂに送信されるデータファイルが格納される送信用フォルダである。第２のフォルダ１１４ａは、外部記憶装置１０ｂから受信したデータファイルが格納される受信用フォルダである。
【００２４】
無線部１２０ａは、他の機器との無線通信を実行する。無線通信部１２０ａは、例えば、８０２．１１無線ＬＡＮネットワークを構成する際に使用される。無線通信部１２０ａは、インフラストラクチャーモード、アドホックモード、のいずれのモードでも通信可能である。
【００２５】
外部接続端子１４０ａは、外部記憶装置１０ａを、有線ケーブルを用いて他の装置、例えば、パーソナルコンピュータやタブレットと接続するため端子である。外部接続端子として、例えばＵＳＢ端子（ＵＳＢは登録商標）、ｅＳＡＴＡ端子、ＩＥＥＥ１３９４端子、ＴＨＵＮＤＥＲＢＯＬＴ端子（ＴＨＵＮＤＥＲＢＯＬＴは登録商標）のいずれかが用いられてもよい。
【００２６】
ボタン１６０ａは、他の無線機器（例えば無線機能を有する外部記憶装置あるいはアクセスポイント）との無線接続の要求を利用者から受け付けるボタンである。ボタン検知部１５０ａは、ボタン１６０ａが押されたか否かを検知する。外部記憶装置１０ａの利用者が、外部記憶装置１０ａと近傍の無線機器（例えば外部記憶装置１０ｂ）と無線接続を実行したい場合、ボタン１６０ａを押すことにより、近傍の無線機器をサーチし、該無線機器から、所定の時間以内に、所定の応答があった場合には、外部記憶装置１０ａと、該無線機器との間で、コネクションが確立され、無線通信が実行される。
【００２７】
外部記憶装置１０ｂは、外部記憶装置１０ａと同じ構成である。外部記憶装置１０ｂの各構成要素には、外部記憶装置１０ａの各構成要素の符号の末尾の「ａ」を「ｂ」に変えた符号が付されている。
【００２８】
図２は、２つの外部記憶装置間のデータファイルのやり取りを説明するシーケンス図である。外部記憶装置１０ａと外部記憶装置１０ｂとの間でデータファイルの送受信を実行したい場合には、利用者は、外部記憶装置１０ａのボタン１６０ａと、外部記憶装置１０ｂのボタン１６０ｂと、をほぼ同時に押す。ボタン１６０ａ、１６０ｂは、ほぼ同時に押されるが、厳密には完全同時ではない。以下では、ボタン１６０ａの方が早く押されるとする。ステップＳ１００では、ボタン検知部１５０ａは、ボタン１６０ａが押されたことを検知すると、その旨をコントローラ１００ａに伝える。コントローラ１００ａは、無線通信部１２０ａに対して近傍の無線機器をサーチするための無線による呼び出し要求ＲＱ１（第１の通信信号）を実行させる。
【００２９】
ステップＳ１１０では、無線通信部１２０ａは、アドホックモードの無線による呼び出し要求ＲＱ１を送信する。この呼び出し要求ＲＱ１は、例えば、アドホック接続用のビーコンを発信することによって実行される。ステップＳ１２０では、外部記憶装置１０ｂの無線通信部１２０ｂは、呼び出し要求ＲＱ１を受信する。
【００３０】
上述のように、利用者は、外部記憶装置１０ｂのボタン１６０ｂも押しているので、ボタン検知部１５０ｂは、ボタン１６０ｂが押されたことを検知する。ステップＳ１３０では、コントローラ１００ｂは、呼び出し要求ＲＱ１を受信した時刻から予め定められた時間以内（例えば数秒以内）に外部記憶装置１０ｂのボタン１６０ｂが押されたことを検知した場合には、処理をステップＳ１４０に移行する。ステップＳ１４０では、コントローラ１００ｂは、応答ＡＳ１（第２の通信信号）を返信し、２つの外部記憶装置１０ａ，１０ｂの間で、アドホック接続のためのネゴシーションを行う。この際、外部記憶装置１０ａ，１０ｂには、ファイル共用通信のために予め定められたネットワーク識別情報（ＳＳＩＤ）及び暗号化キーがそれぞれ格納されている。ステップＳ１４０のネゴシエーションでは、両者が同一のＳＳＩＤ及び暗号化キーを有している場合にアドホック接続が許容される。こうしてネゴシエーションが終了すると、処理がステップＳ１６０に移行し、外部記憶装置１０ａと外部記憶装置１０ｂとの間の（無線通信部１２０ａ、１２０ｂの間の）コネクションが確立される。
【００３１】
ステップＳ１７０では、コントローラ１００ａは、外部記憶装置１０ａの記憶部１１０ａの第１のフォルダ１１２ａに格納されているデータファイルを外部記憶装置１０ｂの記憶部１１０ｂの第２のフォルダ１１４ｂに送信する。なお、第２のフォルダ１１４ｂが作成されていない場合には、コントローラ１００ｂは、記憶部１１０ｂに第２のフォルダ１１４ｂを作成しても良い。ステップＳ１８０では、コントローラ１００ａは、外部記憶装置１０ｂの記憶部１１０ｂの第１のフォルダ１１２ｂのデータファイルを、外部記憶装置１０ａの記憶部１１０ａの第２のフォルダ１１４ａにコピーして格納する。同様に、第２のフォルダ１１４ａが作成されていない場合には、コントローラ１００ａは、記憶部１１０ａに第２のフォルダ１１４ａを作成しても良い。なお、ステップＳ１７０、Ｓ１８０において、データファイルの送受信を許容するか否かの判断のために、２つの外部記憶装置１０ａ，１０ｂのＭＡＣアドレスを用いることも可能である。この場合には、ファイル共用通信のために予め定められたＭＡＣアドレス範囲を示すデータが、外部記憶装置１０ａ，１０ｂにそれぞれ格納されており、両者のＭＡＣアドレスがこのＭＡＣアドレス範囲内に含まれている場合にデータファイルの送受信が許容される。データファイルの送受信が終了すると、コントローラ１００ａ、１００ｂは処理をステップＳ１９０に移行し、無線通信部１２０ａ、１２０ｂに対してコネクションを切断させる。
【００３２】
以上、本実施形態によれば、２つの外部記憶装置１０ａ、１０ｂに対して、ボタン１６０ａ、１６０ｂの両方がほぼ同時に押された場合に、２つの外部記憶装置１０ａ、１０ｂの間でコネクションが確立され、所定のフォルダのデータファイルが送受信される。このように、２つの外部記憶装置１０ａ、１０ｂのボタン１６０ａ、１６０ｂの両方をほぼ同時に押すだけで、データファイルの送受信ができるので、きわめて容易に２つの外部記憶装置１０ａ、１０ｂの間のデータファイルの送受信が可能となる。また、２つの外部記憶装置１０ａ、１０ｂのボタン１６０ａ、１６０ｂがほぼ同時に押された場合（呼び出し要求ＲＱ１を受信した時刻から予め定められた時間以内（例えば数秒以内）に外部記憶装置１０ｂのボタン１６０ｂが押されたことを検知した場合）のみ、データファイルの送受信が行われるので、意図しないデータファイルの送受信が行われない。
【００３３】
上記実施形態では、送信されるデータファイルが格納されている第１のフォルダ１１２ａと、受信したデータファイルを格納する第２のフォルダ１１４ａとは、別のフォルダであったが、ファイル送受信用のフォルダとして１つのフォルダのみを備える構成であってもよい。
【００３４】
上記実施形態では、２つの外部記憶装置１０ａ、１０ｂの第１のフォルダ１１２ａ、１１２ｂに格納されているデータファイルが相手側に格納されるように双方向にデータファイルの送受信が行われるが、最初にボタン１６０ａが押された外部記憶装置１０ａは、データファイルの送信または、データファイルの受信の一方のみを行っても良い。また、ボタン１６０ａの押され方により、データファイルの送信のみ、データファイルの受信のみ、データファイルの送受信のいずれか行うか、動作を切り換えても良い。例えば、ボタン１６０ａが所定時間内に１回のみ押された場合にはデータファイルの送受信を行い、２回連続で押された場合にはデータファイルの送信のみを行い、３回連続で押された場合にはデータファイルの受信のみを行う、と切り換えても良い。また、どちらのボタン１６０ａ、１６０ｂが先に押されるかにより、データファイルの送信の向きを制御しても良い。例えば、第１の外部記憶装置１０ａのボタン１６０ａが先に押された場合には、第１の外部記憶装置１０ａから第２の外部記憶装置１０ｂにデータファイルが送信され、逆に、第２の外部記憶装置１０ｂのボタン１６０ｂが先に押された場合には、第２の外部記憶装置１０ｂから第１の外部記憶装置１０ａにデータファイルが送信（第１の外部記憶装置１０ａから見ればデータファイルの受信）されるようにしてもよい。また、外部記憶装置１０ａは、ボタン１６０ａとして、データファイルの送信用の送信ボタンと、データファイルの受信用の受信ボタンとを別個に備えても良い。この場合、利用者は、データファイルを送受信する場合には、データファイルの送信ボタンと、データファイルの受信ボタンとをほぼ同時に押しても良い。
【００３５】
上記実施形態では、第１のフォルダ１１２ａのデータファイルを送信し、第２のフォルダ１１４ｂのデータファイルを受信するように、送受信するデータファイルをどのフォルダに格納されているかにより特定しているが、送受信するデータファイルを、どのフォルダに格納されているか、では無く、ファイル名で特定しても良い。コントローラ１００ａは、例えば、特定の拡張子を有するデータファイルを送信し、あるいは受信する構成であってもよい。また、コントローラ１００ａは、ファイル名の一部に特定の文字列があるデータファイルを送信し、あるいは受信する構成であってもよい。
【００３６】
外部記憶装置１０ａは、複数の外部記憶装置のそれぞれと上述したデータファイルの送受信を行い得るようにしても良い。この場合、記憶部１１０ａは、個々の外部記憶装置毎にその識別子（ＳＳＩＤ）に対応したフォルダ１１２ａ１、１１２ａ２を有することが好ましい。こうすれば、個々の他の外部記憶装置との間で送受信（共有）するデータファイルを個々に管理することが可能となる。
【００３７】
上記形態では、外部記憶装置１０ｂの役割について、特に限定していなかったが、外部記憶装置１０ｂをバックアップ装置として用いるようにしても良い。
【００３８】
上記形態では、コネクション確立部１０２ａと、データファイル送受信部１０４ａとは、コントローラ１００ａが有しているとしたが、記憶部１００ａがコネクション確立プログラムとデータファイル送受信プログラムとを備え、コントローラ１００ａがこれらのプログラムを実行することにより、コネクション確立部１０２ａと、データファイル送受信部１０４ａとの機能を実現しても良い。なお、上記コネクション確立プログラムとデータファイル送受信プログラムとは、外部記憶装置１０ａと直接または間接的に接続される記憶媒体に格納されており、記憶媒体から記憶部１００ａに書き込まれる構成であってもよい。
【００３９】
図３は、第１の実施形態の動作の変形例を示す説明図である。第１の実施形態では、利用者は、外部記憶装置１０ａのボタン１６０ａと、外部記憶装置１０ｂのボタン１６０ｂと、ほぼ同時に押す、と説明した。しかしながら、外部記憶装置１０ａの近傍に外部記憶装置１０ｂのみが存在するとは限らない。例えば無線ＬＡＮのアクセスポイントＡＰが外部記憶装置１０ａの近傍に存在する場合が考えられる。この変形例では、外部記憶装置１０ａの近傍に外部記憶装置１０ｂとアクセスポイントＡＰが存在し、外部記憶装置１０ａのボタン１６０ａが押されたときに、（１）外部記憶装置１０ａと外部記憶装置１０ｂとの間でデータファイルの送受信を実行するか、（２）アクセスポイントＡＰを親機とし、外部記憶装置１０ａは子機として設定するか、を自動的に切り換えることについて説明する。
【００４０】
この変形例においては、図１のボタン１６０ａ、１６０ｂは、無線ＬＡＮの自動設定処理を実行するためのＡＯＳＳボタンとして使用可能である（ＡＯＳＳ：AirStation One-Touch Secure System、「ＡＯＳＳ」は、登録商標）。また、ボタン１６０ａが押された後、外部記憶装置１０ｂのボタン１６０ｂまたは、アクセスポイントＡＰのＡＯＳＳボタンが押される、と仮定する。
【００４１】
第１の実施形態で説明したようにステップＳ１００でボタン１６０ａが押されると、コントローラ１００ａは、無線による呼び出し要求ＲＱ１を発信する。次に、第２の外部記憶装置１０ｂのボタン１６０ｂ（ＡＯＳＳボタンがＡＰボタン）あるいは、アクセスポイントＡＰのＡＯＳＳボタンが押される。
【００４２】
第２の外部記憶装置１０ｂのボタン１６０ｂ（ＡＯＳＳボタン）がアクセスポイントＡＰのＡＯＳＳボタンよりも先に押された場合、すでに図２で説明した処理が実行される。
【００４３】
アクセスポイントＡＰのＡＯＳＳボタンが第２の外部記憶装置１０ｂのボタン１６０ｂよりも先に押された場合、アクセスポイントＡＰのコントローラＡＰＣ（図示せず）は、処理をステップＳ２００に移行する。コントローラＡＰＣは、呼び出し要求ＲＱ１に含まれるＳＳＩＤを解析し、外部記憶装置１０ａがアクセスポイントＡＰと同種機器でないこと（子機であること）を判断してもよい。ＳＳＩＤは、最大３２文字のユニークな文字列データであり、初期状態では、その機器（本実施形態では外部記憶装置１０ａ）を製造したメーカーが付与した文字列データを有している。一般にメーカーは、機器毎に特有の文字列データを使用する場合が多いので、コントローラＡＰＣはＳＳＩＤの文字列を解析することにより、外部記憶装置１０ａが、アクセスポイントＡＰと同種機器であるか、否か、を判断できる。コントローラＡＰＣは、ＳＳＩＤの解析から同種機器と判断した場合は、以後の処理を中断し、同種機器でないと判断した場合は、無線によるビーコンを発信する。その後、コントローラＡＰＣは、ビーコンを受信した外部記憶装置１０ａのコントローラ１００ａとともに、無線ＬＡＮを構成するための設定情報の自動設定処理を実行する。
【００４４】
（１）ステップＳ２１０では、外部記憶装置１０ａは、アクセスポイントＡＰを検索し、検索されたアクセスポイントとインフラストラクチャーモードでの無線接続関係を確立する。この接続においては、暗号鍵（ＫＥＹ）により暗号化は実現されていない。
（２）アクセスポイントＡＰは、外部記憶装置１０ａと接続関係を確立すると、外部記憶装置１０ａが送信する初期化パケットＩＰの待機状態となる。
（３）外部記憶装置１０ａは、アクセスポイントＡＰと接続関係を確立すると、処理をステップＳ２２０に移行し、アクセスポイントＡＰに対して初期化パケットＩＰをブロードキャストによって送信する。初期化パケットＩＰには、設定情報を要求する旨を表すデータのほか、設定情報の設定が終了するまでの間の暗号化通信に暫定的に用いられる暗号鍵に関する情報などが含まれている。
（４）ステップＳ２３０では、アクセスポイントＡＰは、初期化パケットＩＰを受信した際には、その応答として、外部記憶装置１０ａに対して初期化応答パケットＩＲＰを送信する。初期化応答パケットＩＲＰには、アクセスポイントＡＰのＩＰアドレスなどが含まれており、この応答を受信した外部記憶装置１０ａは、以降、送信先ＩＰアドレスを指定して、アクセスポイントＡＰと無線通信を行うことができる。
（５）初期化応答パケットＩＲＰを受信した外部記憶装置１０ａは、処理をステップＳ２４０に移行し、アクセスポイントＡＰに対して設定パケットＣＰを送信する。設定パケットＣＰには、外部記憶装置１０ａの暗号化能力を示す情報などが含まれている。
（６）設定パケットＣＰを受信したアクセスポイントＡＰは、処理をステップＳ２５０に移行し、設定情報を含む設定応答パケットＣＲＰを外部記憶装置１０ａに対して送信する。設定パケットＣＰには、アクセスポイントＡＰが設定パケットＣＰの受信を契機として生成した設定情報が含まれている。
（７）ステップＳ２６０では、外部記憶装置１０ａは、設定応答パケットＣＲＰを受信して、これに含まれる設定情報を自機に設定し、無線ＬＡＮを構成するための設定情報の自動設定処理を完了する。
【００４５】
なお、第１の外部記憶装置１０ａのボタン１６０ａが押された後に、外部記憶装置１０ｂのボタン１６０ｂと、アクセスポイントＡＰのＡＯＳＳボタンがほぼ同じに押される場合がある。この場合、外部記憶装置１０ａは、アクセスポイントと接続するか、あるいは、外部記憶装置１０ｂと接続するかを、アクセスポイントＡＰのＡＯＳＳボタンと、外部記憶装置１０ｂのボタン１６０ｂと、どちらが先に押されたかにより決定し、他方については接続処理を行わないようにしても良い。
【００４６】
以上この変形例によれば、外部記憶装置１０ａの１つのボタン１６０ａを用いて、（１）他の外部記憶装置１０ｂとの間でデータファイルの送受信を行うか、（２）アクセスポイントＡＰとの間で無線ＬＡＮの設定情報の自動設定を行うか、を切り換えて実行することが可能となる。
【００４７】
第２の実施形態：
図４は、第２の実施形態のデータファイル送受信システムを示す説明図である。第２の実施形態は、第１の実施形態の外部記憶装置１０ａにスマートフォン２０ａ（携帯通信端末装置）が接続され、外部記憶装置１０ｂにスマートフォン２０ｂが接続されている。なお、スマートフォン２０ａ、２０ｂのいずれか一方は無くても良い。
【００４８】
スマートフォン２０ａは、コントローラ２００ａと、記憶部２１０ａと、無線コントローラ２２０ａと、アンテナ２３０ａと、タッチパネル２５０ａと、電話通信部２９０ａと、を備える。記憶部２１０ａは、半導体素子メモリを用いた不揮発性記憶装置によって構成されている。記憶部２１０ａは、データファイル送受信プログラム２１２ａを記憶している。データファイル送受信プログラム２１２ａは、利用者からの指示に基づいて、データファイルの送受信を外部記憶装置１０ａに指示する。
【００４９】
無線コントローラ２２０ａは、外部記憶装置１０ａとの無線通信をコントロールする。無線コントローラ２２０ａは、例えば、８０２．１１無線ＬＡＮネットワークを構成しても良い。無線コントローラ２２０ａは、インフラストラクチャーモード、アドホックモード、のいずれのモードでも通信できる。
【００５０】
タッチパネル２５０ａは、利用者に様々な情報を表示するとともに、利用者からの指示を受け付ける。電話通信部２９０ａは、スマートフォン２０ａに電話機能を付与する。スマートフォン２０ｂの構成は、スマートフォン２０ａと同じであるので、スマートフォン２０ｂについては説明を省略する。スマートフォン２０ｂの構成要素については、図４には示していないが、スマートフォン２０ｂの各構成要素には、スマートフォン２０ａの各構成要素の符号の末尾の「ａ」を「ｂ」に変えた符号が付されている。
【００５１】
図５は、第２の実施形態における動作を説明するシーケンス図である。基本的な動作は、第１の実施形態と同様であるので、異なる点を説明する。外部記憶装置１０ａと外部記憶装置１０ｂとの間でデータファイルの送受信を行いたい場合には、利用者は、第１の実施形態では、ボタン１６０ａ、１６０ｂをほぼ同時に押していたが、第２の実施形態では、スマートフォン２０ａ、２０ｂのタッチパネル２５０ａ、２５０ｂからデータファイルの送受信の指示をほぼ同時に入力する。スマートフォン２０ａのタッチパネル２５０ａから、データファイルの送受信の指示が入力されると、コントローラ２００ａは、処理をステップＳ１０８に移行し、無線コントローラ２２０ａから無線通信部１２０ａに向けて、接続要求コマンドを送信する。一方、スマートフォン２０ｂのタッチパネル２５０ｂから、データファイルの送受信の指示が入力されると、コントローラ２００ｂは、処理をステップＳ１３２に移行し、無線コントローラ２２０ｂから無線通信部１２０ｂに向けて、接続要求コマンドを送信する。このステップＳ１０８、Ｓ１３２の処理は、第１の実施形態におけるステップＳ１００、Ｓ１３０に対応する処理である。ステップＳ１０８の接続要求を受けると、コントローラ１００ａは、呼び出し要求ＲＱ１を送信する。
【００５２】
ステップＳ１３４では、コントローラ１００ｂは、呼び出し要求ＲＱ１を受信した時刻から予め定められた時間以内（例えば数秒以内）に外部記憶装置１０ｂのボタン１６０ｂが押されたことを検知した場合、あるいは、スマートフォン２０ｂから接続要求コマンド（ステップＳ１３２）を受けた場合には、処理をステップＳ１４０に移行する。他の動作については、第１の実施形態と同様である。
【００５３】
外部記憶装置１０ａは、上記説明したように、ボタン１６０ａが押される代わりに、外部記憶装置１０ａと無線で接続されたスマートフォン２０ａからデータファイルの送受信の指示を受けてもよい。
【００５４】
第２の実施形態では、スマートフォン２０ａのタッチパネル２５０ａから外部記憶装置１０ａから外部記憶装置１０ｂへのデータファイルの送信のみ、外部記憶装置１０ａへの外部記憶装置１０ｂからのデータファイルの受信のみ、外部記憶装置１０ａと外部記憶装置１０ｂとの間のデータファイルの送受信、を分けて指示することが可能である。第１の実施形態では、利用者は、１つのボタン１６０ａの押し方でデータファイルの送信のみ、データファイルの受信のみ、データファイルの送受信を切り換えていたが、第２の実施形態では、利用者は、スマートフォン２０ａのタッチパネル２５０ａから、データファイルの送信のみ、データファイルの受信のみ、データファイルの送受信を切り換えられるので、データファイルの送信、データファイルの受信、データファイルの送受信の切り換えが容易である。
【００５５】
なお、ステップＳ１０８、Ｓ１３２のいずれか一方は、第１の実施形態と同様に、ボタン１６０ａあるいは１６０ｂの検知処理（ステップＳ１１０あるいはＳ１３０）であっても良い。なお、ステップＳ１０８、Ｓ１３２の両方が、ボタン１６０ａ、１６０ｂの検知処理である場合には、第１の実施形態と同じである。
【００５６】
本実施形態によれば、２つのスマートフォン２０ａ、２０ｂに対して、ほぼ同時にデータファイルの送受信の指示が入力された場合に、コネクションが確立され、２つの外部記憶装置１０ａ、１０ｂ間で、所定のフォルダのデータファイルの送受信がされる。このように、利用者は、スマートフォン２０ａ、２０ｂに対してほぼ同時にデータファイルの送受信の指示を入力するだけで、データファイルの送受信ができるので、きわめて容易に２つの２つの外部記憶装置１０ａ、１０ｂの間でデータファイルの送受信が可能となる。なお上述した第１の実施形態の有する効果は、第２の実施形態においても同様に有する。
【００５７】
第２の実施形態において、スマートフォン２０ａから、外部記憶装置１０ａからフォルダやファイルを指定し、その後データファイルの送受信を入力し、指定されたフォルダのファイルや、指定されたファイルを送信するようにしても良い。
【００５８】
第３の実施形態：
第１、第２の実施形態では、２つの外部記憶装置１０ａ、１０ｂに対し、ボタン１６０ａ、１６０ｂにより直接的に、あるいは、スマートフォン２０ａ、２０ｂを介して間接的に、ほぼ同時にデータファイルの送受信の指示を与えた場合に、データファイルの送受信が実行された。これに対し、第３の実施形態では、データファイルを送受信する場合に、相手先の許可を受ける実施形態である。したがって、第３の実施形態では、２つの外部記憶装置１０ａ、１０ｂの利用者は異なっていても良い。なお、第３の実施形態のハードウエアの構成は、第２の実施形態と同じである。
【００５９】
図６は、第３の実施形態のデータ送受信システムにおける動作を説明するシーケンス図である。ステップＳ１６０まで（コネクションが確立するまで）の動作は、第２の実施形態と同様の動作である。なお、第３の実施形態では、後述するように、利用者が、スマートフォン２０ａに送信したいデータファイルを選択し、スマートフォン２０ｂに許可あるいは不許可を入力する。したがって、利用者は、ボタン１６０ａ、１６０ｂをほぼ同時に押すのではなく、スマートフォン２０ａ、２０ｂのタッチパネル２５０ａ、２５０ｂからファイル共有の指示（アドホック接続の開始設定）をほぼ同時に入力する。
【００６０】
ステップＳ３００では、外部記憶装置１０ａの利用者は、スマートフォン２０ａに、外部記憶装置１０ａから外部記憶装置１０ｂに送信したいデータファイルを入力する。スマートフォン２０ａと外部記憶装置１０ａとは、無線により接続されているので、コントローラ２００ａは、外部記憶装置１０ａに格納されているデータファイルのファイル名をスマートフォン２０ａのタッチパネル２５０ａに表示させて、利用者に選択させても良い。コントローラ２００ａは、入力されたファイル名を外部記憶装置１０ａに送る。
【００６１】
ステップＳ３１０では、コントローラ１００ａは、スマートフォン２０ａにより選択されたデータファイルのファイル情報を外部記憶装置１０ｂに送る。ステップＳ３１５では、コントローラ１００ｂは、送られたファイル情報をスマートフォン２０ｂに送る。ステップＳ３２０では、コントローラ２００ｂは、送られたファイル情報をタッチパネル２５０ｂに表示し、外部記憶装置１０ｂの利用者からの応答（許可か、不許可か）を待つ。
【００６２】
ステップＳ３３０に示すように、タッチパネル２５０ｂに不許可が入力された場合、あるいは、予め定められた時間内に許可の入力がされなかった場合には、外部記憶装置１０ｂの利用者の応答は不許可であり、コントローラ２００ｂは、処理をステップＳ３３５に移行する。ステップＳ３３５では、コントローラ２００ｂは、外部記憶装置１０ａから外部記憶装置１０ｂへのデータファイルの送信は不許可である旨を外部記憶装置１０ｂに送信する。この不許可である旨は、ステップＳ３４０にて、外部記憶装置１０ｂから外部記憶装置１０ａに伝えられ、さらにステップＳ３４５で外部記憶装置１０ａからスマートフォン２０ａに伝えられる。ステップＳ３５０では、スマートフォン２０ａは、不許可の旨をタッチパネル２５０ａに表示する。なお、予め定められた時間内に許可に通知が無かった場合にも、その旨をタッチパネル２５０ａに表示する。
【００６３】
外部記憶装置１０ｂの利用者の応答が許可の場合、コントローラ２００ｂは、処理をステップＳ３６５に移行する。ステップＳ３６５では、コントローラ２００ｂは、外部記憶装置１０ａから外部記憶装置１０ｂへのデータファイルの送信が許可である旨を外部記憶装置１０ｂに送信する。この許可である旨（許可信号）は、ステップＳ３７０にて、外部記憶装置１０ｂから外部記憶装置１０ａに伝えられ、さらにステップＳ３７５で外部記憶装置１０ａからスマートフォン２０ａに伝えられる。その後、図２に示すステップＳ１７０、Ｓ１８０の処理が実行され、データファイルが送受信される。なお、許可の内容によっては、ステップＳ１７０、１８０のいずれか一方のみが実行されても良い。ステップＳ３９０では、外部記憶装置１０ａからスマートフォン２０ａに処理完了メッセージが送信され、ステップＳ３９５では、外部記憶装置１０ｂからスマートフォン２０ｂに処理完了メッセージが送信される。その後ステップＳ１９０にて、コネクションが切断される。
【００６４】
以上、第３の実施形態によれば、外部記憶装置１０ｂの利用者の許可があった場合に外部記憶装置１０ａと１０ｂとの間でデータファイルの送受信が行われるので、意図しないデータファイルの送受信が行われないようにすることが可能となる。
【００６５】
本発明は、上述の実施形態に限られるものではなく、その趣旨を逸脱しない範囲において種々の構成で実現することができる。例えば、発明の概要の欄に記載した各形態中の技術的特徴に対応する実施形態の技術的特徴は、上述の課題の一部又は全部を解決するために、或いは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【００６６】
１０ａ、１０ｂ…外部記憶装置
２０ａ、２０ｂ…スマートフォン
１００ａ、１００ｂ…コントローラ
１０２ａ、１０２ｂ…コネクション確立部
１０４ａ、１０４ｂ…データファイル送受信部
１１０ａ、１１０ｂ…記憶部
１１２ａ、１１２ｂ…第１のフォルダ
１１４ａ、１１４ｂ…第２のフォルダ
１２０ａ、１２０ｂ…無線通信部
１４０ａ、１４０ｂ…外部接続端子
１５０ａ、１５０ｂ…ボタン検知部
１６０ａ、１６０ｂ…ボタン
１７０ａ、１７０ｂ…バッテリ
１８０ａ、１８０ｂ…電源入力端子
２００ａ、２００ｂ…コントローラ
２１０ａ…記憶部
２１２ａ…データファイル送受信プログラム
２２０ａ、２２０ｂ…無線コントローラ
２３０ａ…アンテナ
２５０ａ、２５０ｂ…タッチパネル
２９０ａ…電話通信部
ＡＰ…アクセスポイント
ＡＰＣ…コントローラ
ＡＳ１…応答（第２の通信信号）
ＣＰ…設定パケット
ＣＲＰ…設定応答パケット
ＩＰ…初期化パケット
ＩＲＰ…初期化応答パケット
ＲＱ１…呼び出し要求（第１の通信信号）
【図１】
2015050721.tif 000003
【図２】
2015050721.tif 000004
【図３】
2015050721.tif 000005
【図４】
2015050721.tif 000006
【図５】
2015050721.tif 000007
【図６】
2015050721.tif 000008